(57)【特許請求の範囲】
【請求項１】
被写体からの光の透過率が最大となるピーク波長を可視領域内に有し、前記被写体からの光を透過する撮像レンズと、
前記被写体からの光の量を絞り調整する絞り羽根と、
前記絞り羽根に設けられ、前記被写体からの光を透過する光学フィルタと、を備え、
前記ピーク波長から赤外領域の波長までの間における前記撮像レンズの透過率と、前記ピーク波長から前記赤外領域の波長までの間における前記光学フィルタの透過率と、の合成透過率が、前記ピーク波長から前記赤外領域の波長までの間において実質的に一定となることを特徴とする絞り装置。
【請求項２】
前記光学フィルタは、前記可視領域において所定の透過率Ｓｖを有し、前記赤外領域において下記式を満たす透過率Ｓｉを有することを特徴とする請求項１に記載の絞り装置。
（式）Ｓｉ＝（Ｔｐ×Ｓｖn）／Ｔｉ
ただし、Ｓｉは赤外領域の各波長における光学フィルタの透過率、Ｓｖは可視領域における光学フィルタの透過率、Ｔｐはピーク波長における撮像レンズの透過率、Ｔｉは赤外領域の各波長における撮像レンズの透過率、ｎは光学フィルタの枚数。
【請求項３】
前記光学フィルタの赤外領域における透過率Ｓｉは、前記ＮＤフィルタの可視領域における透過率Ｓｖよりも大きいことを特徴とする請求項２に記載の絞り装置。
【請求項４】
被写体からの光の透過率が最大となるピーク波長を可視領域内に有する撮像レンズとともに前記被写体からの光を透過する光学フィルタであって、
前記ピーク波長から赤外領域の波長までの間における前記撮像レンズとの合成透過率が実質的に一定となるように透過率が設定されていることを特徴とする光学フィルタ。
【請求項５】
前記光学フィルタは、可視領域において所定の透過率Ｓｖを有し、赤外領域において下記式を満たす透過率Ｓｉを有することを特徴とする請求項４に記載の光学フィルタ。
（式）Ｓｉ＝（Ｔｐ×Ｓｖn）／Ｔｉ
ただし、Ｓｉは赤外領域の各波長における光学フィルタの透過率、Ｓｖは可視領域における光学フィルタの透過率、Ｔｐはピーク波長における撮像レンズの透過率、Ｔｉは赤外領域の各波長における撮像レンズの透過率、ｎは光学フィルタの枚数。
【請求項６】
前記光学フィルタの赤外領域における透過率Ｓｉは、前記光学フィルタの可視領域における透過率Ｓｖよりも大きいことを特徴とする請求項５に記載の光学フィルタ。
【発明の詳細な説明】
【０００１】
【発明の属する技術分野】
この発明は、被写体からの光の量を調整する絞り装置およびこの絞り装置に用いられる光学フィルタに係り、特に、ＣＣＴＶなどのビデオカメラに用いられる絞り装置およびこの絞り装置に用いられる光学フィルタに関する。
【０００２】
【従来の技術】
従来から、カラーＣＣＴＶカメラは、たとえば、屋外などを監視する監視カメラとして有用である。このようなカラーＣＣＴＶカメラには、可視光用レンズに赤外カットフィルタが取り付けられており、可視領域の色再現性を向上させている。
【０００３】
ところで近年では、昼間などの比較的明るい時間帯のみならず、色再現性が多少劣化しても夜間などの比較的暗い時間帯でもカラーＣＣＴＶカメラを使用したいという要求、換言すれば、カラーＣＣＴＶカメラに用いられる可視光用レンズを、可視領域（４００［ｎｍ］〜７００［ｎｍ］）のみならず近赤外領域（７００［ｎｍ］〜１０００［ｎｍ］）においても使用したいという要求がある。
【０００４】
この場合、単に赤外カットフィルタを外すことにより、夜間などの比較的暗い時間帯でも被写体を捉えることができる。しかし、上述のように赤外カットフィルタを外すと、赤外光の透過光量が増加した場合、この赤外光の透過光量の増加により赤外線の反射が強い被写体が明るくなりすぎて、視覚的に見えづらくなることがあり、赤外光の透過光量を調整することができないこととなっていた。
【０００５】
このため、赤外領域の透過率が可視光領域の透過率とほぼ同等乃至同等以下の分光透過率特性を有する樹脂ベースのＮＤフィルタを絞り羽根に貼り付けたＣＣＴＶカメラ用レンズの絞り装置が提案されている（たとえば、下記特許文献１参照。）。
【０００６】
一方、一般的に可視光用レンズは、可視領域である４００［ｎｍ］〜７００［ｎｍ］の分光透過率を向上させるため、レンズ面に反射防止コートが施されている。したがって、図２に示すように、５５０［ｎｍ］付近をピーク波長として、１０００［ｎｍ］まで透過率が低下する。このため、最近では、可視領域と近赤外領域の両方に対応する光学性能を有するレンズが開発されている。
【０００７】
【特許文献１】
特開２００２−４９０７３号公報
【０００８】
【発明が解決しようとする課題】
しかしながら、上述した特許文献１のような絞り装置や可視領域および近赤外領域においてほぼ均等な透過率を有する従来のＮＤフィルタを用いた場合、可視光用レンズとＮＤフィルタの合成透過率特性は、図３の波形ＡＢに示すようになり、可視光用レンズのピーク波長Ｐより大きい波長領域において透過率が低下することとなる。
【０００９】
したがって、可視光用レンズと上述のＮＤフィルタを用いた場合、可視光用レンズの透過率におけるピーク波長よりも長波長（赤外領域の波長）になるにつれて絞りが開いてしまうこととなり、被写界深度が浅くなって、撮影した画像がピンボケしてしまうという問題があった。
【００１０】
また、可視領域と赤外領域の両方に対応するレンズを用いた場合、光が透過する波長範囲が広がっているため色収差が生じてしまうこととなる。したがって、昼間時など周囲が明るい状態で撮影した場合には、夜間撮影に最適な被写界深度が得づらくなり、昼間時に調整された状態の撮像装置を夜間作動させた場合、撮影レンズのピント位置にずれが生じるおそれがある。このように、昼間時に調整を行った撮像装置で夜間撮影すると、得られる画像の品質が劣化したものになるという問題があった。
【００１１】
また、可視光用レンズに対し、可視領域と赤外領域の両方に対応する光学性能を有するレンズのように、４００［ｎｍ］〜１０００［ｎｍ］という広い範囲の分光透過率をもたせようとすると、特殊な反射防止マルチコートを多数のレンズ面に施す必要が生じ、レンズが高価になるという問題があった。
【００１２】
この発明は、上述した従来技術による問題点を解消するため、簡単な構成により可視領域および赤外領域においても被写体の画質の向上を図ることができる絞り装置および光学フィルタを提供することを目的とする。
【００１３】
【課題を解決するための手段】
上述した課題を解決し、目的を達成するため、請求項１の発明にかかる絞り装置は、被写体からの光の透過率が最大となるピーク波長を可視領域内に有し、前記被写体からの光を透過する撮像レンズと、前記被写体からの光の量を絞り調整する絞り羽根と、前記絞り羽根に設けられ、前記被写体からの光を透過する光学フィルタと、を備え、前記ピーク波長から赤外領域の波長までの間における前記撮像レンズの透過率と、前記ピーク波長から前記赤外領域の波長までの間における前記光学フィルタの透過率と、の合成透過率が、前記ピーク波長から前記赤外領域の波長までの間において実質的に一定となることを特徴とする。
【００１４】
この請求項１の発明によれば、撮像レンズの赤外領域における透過率の変動を、光学フィルタの透過率によって補正して、赤外領域において、可視領域の透過率と同等の透過率を得ることができる。
【００１５】
また、請求項２の発明にかかる絞り装置は、請求項１に記載の発明において、前記光学フィルタは、前記可視領域において所定の透過率Ｓｖを有し、前記赤外領域において下記式を満たす透過率Ｓｉを有することを特徴とする。
（式）Ｓｉ＝（Ｔｐ×Ｓｖn）／Ｔｉ
ただし、Ｓｉは赤外領域の各波長における光学フィルタの透過率、Ｓｖは可視領域における光学フィルタの透過率、Ｔｐはピーク波長における撮像レンズの透過率、Ｔｉは赤外領域の各波長における撮像レンズの透過率、ｎは光学フィルタの枚数。
【００１６】
この請求項２の発明によれば、撮像レンズの赤外領域における透過率の変動を、光学フィルタの透過率によって赤外領域の波長ごとに補正して、赤外領域において、可視領域の透過率と同等の透過率を得ることができる。
【００１７】
また、請求項３の発明にかかる絞り装置は、請求項２に記載の発明において、前記光学フィルタの赤外領域における透過率Ｓｉは、前記光学フィルタの可視領域における透過率Ｓｖよりも大きいことを特徴とする。
【００１８】
この請求項３の発明によれば、赤外領域における透過光量の低下を抑制することができる。
【００１９】
また、請求項４の発明にかかる光学フィルタは、被写体からの光の透過率が最大となるピーク波長を可視領域内に有する撮像レンズとともに前記被写体からの光を透過する光学フィルタであって、前記ピーク波長から赤外領域の波長までの間における前記撮像レンズとの合成透過率が実質的に一定となるように透過率が設定されていることを特徴とする。
【００２０】
この請求項４の発明によれば、撮像レンズの赤外領域における透過率の変動を、光学フィルタの透過率によって補正して、赤外領域において、可視領域の透過率と同等の透過率を得ることができる。
【００２１】
また、請求項５の発明にかかる光学フィルタは、請求項４に記載の発明において、前記光学フィルタは、可視領域において所定の透過率Ｓｖを有し、赤外領域において下記式を満たす透過率Ｓｉを有することを特徴とする。
（式）Ｓｉ＝（Ｔｐ×Ｓｖn）／Ｔｉ
ただし、Ｓｉは赤外領域の各波長における光学フィルタの透過率、Ｓｖは可視領域における光学フィルタの透過率、Ｔｐはピーク波長における撮像レンズの透過率、Ｔｉは赤外領域の各波長における撮像レンズの透過率、ｎは光学フィルタの枚数。
【００２２】
この請求項５の発明によれば、撮像レンズの赤外領域における透過率の変動を、光学フィルタの透過率によって赤外領域の波長ごとに補正して、赤外領域において、可視領域の透過率と同等の透過率を得ることができる。
【００２３】
また、請求項６の発明にかかる光学フィルタは、請求項５に記載の発明において、前記光学フィルタの赤外領域における透過率Ｓｉは、前記光学フィルタの可視領域における透過率Ｓｖよりも大きいことを特徴とする。
【００２４】
この請求項６の発明によれば、赤外領域における透過光量の低下を抑制することができる。
【００２５】
【発明の実施の形態】
（実施の形態１）
以下に添付図面を参照して、この発明にかかる絞り装置およびこの絞り装置に用いられる光学フィルタの好適な実施の形態を詳細に説明する。図１は、この発明の実施の形態１にかかる絞り装置を示す概略図である。
【００２６】
図１に示すように、この絞り装置１は、上下一対の絞り羽根２，３と、光学フィルタ４と、撮像レンズ５と、から構成されている。この上下一対の絞り羽根２，３は、たとえば撮像レンズ５の手前に設けられている。そして、一対の絞り羽根２，３の間には光軸Ｌに交差する絞り開口６が形成されており、被写体Ｏからの光を取り込むようになっている。そして、絞り開口６から取り込まれた光は撮像レンズ５を透過して像面７に像Ｉを形成するようになっている。
【００２７】
また、上下一対の絞り羽根２，３は、図示しないアクチュエータによって、上下に駆動することができる。すなわち、上下一対の絞り羽根２，３は、絞り開口６を絞る場合は図中、矢印ａ方向に駆動され、絞りを開放する場合は図中ｂ方向に駆動される。
【００２８】
また、下絞り羽根３の表面には、光学フィルタ４が設けられている。光学フィルタ４は、絞り開口６の一部または全部を覆うように取り付けられており、絞り開口６に取り込まれる被写体Ｏからの光を透過するようになっている。この光学フィルタ４は、光線の可視および近赤外スペクトル部分の各波長に対してほぼ均等な透過をするようにＮＤフィルタまたは透明フィルタの表面に、Ｃｒ、ＴｉＯ2、ＳｉＯ2などの材料を多層状にコーティングしたフィルタである。
【００２９】
この光学フィルタ４としては、たとえば、従来からある一般的なＮＤフィルタであり、たとえば、ＮＤ１．２（透過率６．３１％）のＮＤフィルタを用いることができる。これにより、この光学フィルタ４は、可視領域（およそ３６０［ｎｍ］〜７００［ｎｍ］程度）から近赤外領域（およそ７００［ｎｍ］〜１０００［ｎｍ］程度）までの間において、下記の表１に示す透過率を有する。また、表１の数値をプロットしたグラフを図２および図３に示す。
【００３０】
【表１】
0003727934.tif 000002
【００３１】
図２は、可視領域（およそ３６０［ｎｍ］〜７００［ｎｍ］程度）から近赤外領域（およそ７００［ｎｍ］〜１０００［ｎｍ］程度）までの間における、撮像レンズとＮＤフィルタの透過率を示している。図中、波形Ａは撮像レンズ５の透過率特性を、波形Ｂは従来のＮＤ１．２のＮＤフィルタの透過率特性を示す。この撮像レンズ５は、被写体Ｏからの光の透過率が最大となるピーク波長Ｐを可視領域内に有する。本例では、図２に示すように、透過率が最大となるピーク波長Ｐは５５０［ｎｍ］である。
【００３２】
また、この撮像レンズ５の表面には反射防止コートが施されているため、ピーク波長Ｐから連続的に近赤外領域の波長、たとえば１０００［ｎｍ］まで透過率が低下するようになっている。なお、ＮＤフィルタは、従来からある一般的なＮＤフィルタであり、たとえば、ＮＤ１．２（透過率６．３１％）のＮＤフィルタである。
【００３３】
つぎに、可視領域（およそ３６０［ｎｍ］〜７００［ｎｍ］程度）から近赤外領域（およそ７００［ｎｍ］〜１０００［ｎｍ］程度）までの間における、本実施の形態の絞り装置を適用した透過率と、上述した従来のＮＤフィルタ（ＮＤ１．２）を適用した場合の透過率と、を図３に示す。
【００３４】
なお、図中、波形Ｂは従来のＮＤ１．２のＮＤフィルタの透過率特性を、波形Ｃは本実施の形態にかかる光学フィルタ４の透過率特性を、波形ＡＢは撮像レンズ５と従来のＮＤ１．２のＮＤフィルタとの合成透過率特性を、波形ＡＣは撮像レンズ５と本実施の形態にかかる光学フィルタ４との合成透過率特性を示す。
【００３５】
本実施の形態にかかる光学フィルタ４の透過率は、撮像レンズ５のピーク波長Ｐから赤外領域の波長までの間においては、下記式（１）によって決定することができる。
Ｓｉ＝（Ｔｐ×Ｓｖ）／Ｔｉ・・・（１）
【００３６】
ここで、Ｓｉは、赤外領域の各波長における光学フィルタ４の透過率である。また、Ｓｖは、可視領域における光学フィルタ４（または、上述した従来のＮＤ１．２のＮＤフィルタ）の透過率である。さらに、Ｔｐは、ピーク波長Ｐにおける撮像レンズ５の透過率である。また、Ｔｉは、赤外領域の各波長における撮像レンズ５の透過率である。
【００３７】
図３に示すように、従来のＮＤフィルタ（ＮＤ１．２）と撮像レンズ５との合成透過率の波形ＡＢについて、撮像レンズ５のピーク波長Ｐである５５０［ｎｍ］における合成透過率は、５．７４［％］であり、近赤外領域の最長波長（１０００［ｎｍ］）の合成透過率は、３．１９［％］となっており、ピーク波長Ｐから１０００［ｎｍ］にかけて合成透過率が低下する。
【００３８】
また、本実施の形態の光学フィルタ４の透過率は、波形Ｃに示すように、可視領域の最短波長である３６０［ｎｍ］からピーク波長Ｐ（５５０［ｎｍ］）までは、従来のＮＤフィルタと同様、一定の透過率（６．３１［％］）となっている。一方、ピーク波長Ｐから近赤外領域の最長波長（１０００［ｎｍ］）までの透過率は、上記式（１）にしたがって、長波長になる程上昇する。
【００３９】
したがって、この光学フィルタ４と撮像レンズ５との合成透過率は、波形ＡＣに示すように、可視領域の最短波長である３６０［ｎｍ］からピーク波長Ｐまでは、従来のＮＤフィルタと撮像レンズ５との合成透過率と同一となる。一方、ピーク波長Ｐから近赤外領域の最長波長（１０００［ｎｍ］）までの透過率は、一定の透過率（５．７４［％］）となる。これにより、近赤外領域においても可視領域の透過率と同等の透過率を維持することができる。
【００４０】
以上説明したように、上述した実施の形態にかかる絞り装置１によれば、光学フィルタ４の近赤外領域の透過率を可視領域の透過率よりも大きくし、撮像レンズ５と光学フィルタ４との合成透過率が可視領域および近赤外領域とで一定になるようにしたため、近赤外光の透過率の低下を防止することができる。これにより、たとえば、昼間撮影用に絞り羽根２，３を絞ってピントを合わせた場合であっても、夜間撮影時になっても絞り開口６が自動開放されることなく、被写界深度も浅くならないため、ピンボケしない被写体Ｏの映像を得ることができる。
【００４１】
（実施の形態２）
つぎに、この発明の実施の形態２にかかる絞り装置および光学フィルタについて説明する。なお、実施の形態１における構成と同一構成については同一符号を付し、その説明を省略する。
【００４２】
図４（ａ）および（ｂ）に示すように、本実施の形態の絞り装置１０には、上下一対の絞り羽根２，３にそれぞれ光学フィルタ８，９が設けられている。すなわち、この光学フィルタ８，９は、絞り開口６の一部または全部を覆うように、上絞り羽根２の裏面および下絞り羽根３の表面に取り付けられており、絞り開口６に取り込まれる被写体Ｏからの光を透過するようになっている。光学フィルタ８，９はともに同一透過率特性を有する。
【００４３】
そして、絞り装置１０を絞り駆動することにより、上絞り羽根２および下絞り羽根３が矢印ａ方向に駆動されて、絞り開口６が絞られる。そして、図４（ｂ）に示すように、２枚の光学フィルタ８，９が光軸Ｌ方向に重なると、下記の表２に示す光学特性が表れる。また、表２の数値をプロットしたグラフを図２および図５に示す。
【００４４】
【表２】
0003727934.tif 000003
【００４５】
図５は、可視領域（およそ３６０［ｎｍ］〜７００［ｎｍ］程度）から近赤外領域（およそ７００［ｎｍ］〜１０００［ｎｍ］程度）までの間における、本実施の形態の絞り装置を適用した透過率と、上述した従来のＮＤフィルタ（ＮＤ１．２）を適用した場合の透過率と、を示すグラフである。
【００４６】
なお、図中、波形Ｂは従来のＮＤ１．２のＮＤフィルタの透過率特性を、波形Ｄは本実施の形態にかかる光学フィルタ８（または９）の透過率特性を示す。また、波形ＡＢは、従来のＮＤ１．２のＮＤフィルタが光軸Ｌ方向に重なっていない場合における撮像レンズ５と従来のＮＤ１．２のＮＤフィルタ１枚との合成透過率特性を示す。さらに、波形ＡＤは、本実施の形態にかかる光学フィルタ８および９が光軸Ｌ方向に重なっていない場合における撮像レンズ５と光学フィルタ８（または９）との合成透過率特性を示す。
【００４７】
また、波形ＡＢＢは、従来の２枚のＮＤ１．２のＮＤフィルタが光軸Ｌ方向に重なっている場合における撮像レンズ５と従来のＮＤ１．２のＮＤフィルタ２枚との合成透過率特性を示す。さらに、波形ＡＤＤは、本実施の形態にかかる光学フィルタ８および９が光軸Ｌ方向に重なっていない場合における撮像レンズ５と光学フィルタ８と光学フィルタ９との合成透過率特性を示す。
【００４８】
本実施の形態にかかる光学フィルタ８（または９）の透過率は、図４（ｂ）に示すように２枚の光学フィルタが光軸方向に重なった場合、撮像レンズ５のピーク波長Ｐから赤外領域の波長までの間においては、下記式（２）によって決定することができる。
Ｓｉ＝（Ｔｐ×Ｓｖ×Ｓｖ）／Ｔｉ・・・（２）
【００４９】
ここで、Ｓｉは、赤外領域の各波長における光学フィルタ８（または９）の透過率である。また、Ｓｖは、可視領域における光学フィルタ８（または９）（または、上述した従来のＮＤ１．２のＮＤフィルタ）の透過率である。さらに、Ｔｐは、ピーク波長Ｐにおける撮像レンズ５の透過率である。また、Ｔｉは、赤外領域の各波長における撮像レンズ５の透過率である。
【００５０】
図５に示すように、従来における光軸Ｌ方向に重なった２枚のＮＤフィルタ（ＮＤ１．２）と撮像レンズ５との合成透過率の波形ＡＢＢについては、ピーク波長Ｐ（５５０［ｎｍ］）である５５０［ｎｍ］における合成透過率は、０．３６［％］であり、近赤外領域の最長波長（１０００［ｎｍ］）の合成透過率は、０．２０［％］となっており、ピーク波長Ｐから１０００［ｎｍ］にかけて合成透過率が低下する。
【００５１】
また、本実施の形態の光学フィルタ８（または９）の透過率は、図５に示すように、可視領域の最短波長である３６０［ｎｍ］からピーク波長Ｐまでは、従来のＮＤフィルタと同様、一定の透過率（６．３１［％］）となっている。一方、ピーク波長Ｐから近赤外領域の最長波長（１０００［ｎｍ］）までの透過率は、上記式（２）にしたがって、長波長になる程上昇する。
【００５２】
したがって、この光学フィルタ８および９が光軸Ｌ方向に重なっている場合、２枚の光学フィルタ８および９と撮像レンズ５との合成透過率は、波形ＡＤＤに示すように、可視領域の最短波長である３６０［ｎｍ］からピーク波長Ｐまでは、従来の光軸Ｌ方向に重なっている２枚のＮＤフィルタと撮像レンズ５との合成透過率と同一となる。一方、ピーク波長Ｐから近赤外領域の最長波長（１０００［ｎｍ］）までの透過率は、一定の透過率（０．３６［％］）となる。これにより、近赤外領域においても可視領域の透過率と同等の透過率を維持することができる。
【００５３】
なお、図４（ａ）に示すように２枚の光学フィルタ８，９が光軸方向に重なっていない場合、撮像レンズ５のピーク波長Ｐから赤外領域の波長までの間においては、光学フィルタ８，９ごとに、上記式（１）によって合成透過率が決定される。この場合でも、図５に示すように、従来におけるＮＤフィルタ１枚と撮像レンズ５との合成透過率と、本実施の形態にかかる１枚の光学フィルタ８（または９）と撮像レンズ５との合成透過率とを比較すると、可視領域の最短波長である３６０［ｎｍ］からピーク波長までは、両合成透過率は一致する。
【００５４】
一方、撮像レンズ５のピーク波長Ｐから赤外領域の最長波長までの間においては、本実施の形態にかかる１枚の光学フィルタ８（または９）と撮像レンズ５との合成透過率の方が、大きくなっている。したがって、絞り開口６の状態から、絞り羽根２，３を絞り駆動した場合、２枚の光学フィルタ８，９が光軸Ｌ方向に重ならない場合であっても、従来の２枚のＮＤフィルタを設けた絞り装置よりも、赤外領域における透過率を増加することができる。
【００５５】
以上説明したように、上述した実施の形態にかかる絞り装置１０によれば、光学フィルタ８（または９）の近赤外領域の透過率を可視領域の透過率よりも大きくし、撮像レンズ５と光学フィルタとの合成透過率が可視領域および近赤外領域とで一定になるようにしている。
【００５６】
したがって、光学フィルタ８および９が光軸Ｌ方向に重なっている場合、近赤外光の透過率の低下を防止することができる。これにより、たとえば、昼間撮影用に絞り羽根を絞ってピントを合わせた場合であっても、夜間撮影時になっても絞り開口６が自動開放されることなく、被写界深度も浅くならないため、ピンボケしない被写体Ｏの映像を得ることができる。
【００５７】
なお、上述したいずれの実施の形態においても、光学フィルタ４，８，９は、従来のＮＤフィルタに多層コーティングしてＮＤ１．２としたフィルタを適用したが、フィルタはＮＤ１．２に限定されることはなく、使用する撮像レンズや絞り羽根の数に応じて、上述した式（１）および式（２）にしたがって、他のＮＤフィルタを適用することとしてもよい。
【００５８】
また、上述したいずれの実施の形態においても、光学フィルタ４，８，９が取り付けられる絞り羽根２，３は上下２枚とされているが、２枚に限定されることはなく、複数枚、たとえば３枚の絞り羽根を用いることとしてもよい。この場合、絞り羽根は、周方向に駆動することとしてもよい。
【００５９】
【発明の効果】
以上説明したように、この発明の絞り装置によれば、簡単な構成により可視領域のみならず赤外領域においても被写体の画質の向上を図ることができるという効果を奏する。また、この発明の光学フィルタによれば、絞り装置に備えられている撮像レンズの透過率特性に応じた可視領域および近赤外領域の透過率特性を備えているため、絞り羽根に取り付けるだけで、可視領域および赤外領域においても被写体の画質の向上を図ることができるという効果を奏する。
【図面の簡単な説明】
【図１】この発明の実施の形態１にかかる絞り装置の構成を示す概略側面図である。
【図２】撮像レンズおよびＮＤ１．２のＮＤフィルタ透過率特性を示すグラフである。
【図３】この発明の実施の形態１にかかる絞り装置および光学フィルタの透過率特性を示すグラフである。
【図４】この発明の実施の形態２にかかる絞り装置の構成を示す概略側面図である。
【図５】この発明の実施の形態２にかかる絞り装置および光学フィルタの透過率特性を示すグラフである。
【符号の説明】
１，１０  絞り装置
２  上絞り羽根
３  下絞り羽根
４，８，９光学フィルタ
５  撮像レンズ
Ｏ  被写体
【図１】
0003727934.tif 000004
【図２】
0003727934.tif 000005
【図３】
0003727934.tif 000006
【図４】
0003727934.tif 000007
【図５】
0003727934.tif 000008